(57)【要約】      （修正有）【課題】個々の刃を単独で交換でき、刃の間隔を調節することが粉砕する石等の大きさや種類に対応できるバケット式ジョークラッシャを提供する。【解決手段】移動自在な作業機のアーム先端に着脱自在に設けられるバケットに備えるジョークラッシャであって、ジョークラッシャの粉砕用刃３の形状が、矩形状の凹凸を対向配置したものになっている。【選択図】図１
0003173125.tif 000002
【実用新案登録請求の範囲】
【請求項１】
移動自在な作業機のアーム先端に着脱自在に設けられるバケットに備えるジョークラッシャであって、
前記ジョークラッシャの粉砕用刃の形状が、矩形状の凹凸を対向配置したものになっていること、
を特徴とするバケット式ジョークラッシャ。
【請求項２】
ジョークラッシャの粉砕用刃は、複数個の矩形状の刃が基板にボルトを介して着脱自在にして取り付けられ、当該矩形状の刃が単独で交換可能であること、
を特徴とする請求項１に記載のバケット式ジョークラッシャ。
【請求項３】
ジョークラッシャの一対で対向した刃の間隔は、ギャップ調節手段によって可変されること、
を特徴とする請求項１乃至２に記載のバケット式ジョークラッシャ。
【請求項４】
ギャップ調節手段には、排油溝付のグリースニップルが設けられ、刃の間隔が無段階で調節されること、
を特徴とする請求項３に記載のバケット式ジョークラッシャ。
【考案の詳細な説明】
【技術分野】
【０００１】
本考案は、移動自在な作業機のアーム先端に取り付けて、石等を粉砕するバケット式ジョークラッシャに関するものである。
【背景技術】
【０００２】
従来、バケット式ジョークラッシャは、ブラケット部で油圧式掘削機のアームに取り付けた移動可能なものが知られている。例えば、特許文献１に記載されているように、固定板と、これに対向する移動板と、前記移動板を固定板に対して近接・離反方向に移動させる駆動装置と、走行装置を有する油圧式掘削機のアームに取り付け可能なブラケット部を設けたフレームに備え、フレーム内において被破砕物の供給口と排出口との間に上記固定板と稼動板とを対向配置し、背面に間隔をあけて補強用のリブを設けた固定板をフレームに固定する一方、上記移動板の駆動手段として前記移動板の背面側に油圧シリンダーを設け、該油圧シリンダーのロッド先端を前記移動板に軸着するとともに、その軸着位置よりも離れた位置の移動板をフレームに軸着し、かつ、油圧シリンダーの制御部をフレーム内に設置し、制御部に電磁弁を設けるとともに、該電磁弁に駆動ロッドの位置で切り替わる切替スイッチを設けて、油圧シリンダーの駆動ロッドを引き込み位置と伸出位置の間で往復作動を自動的に繰り返す構成としたものである。
【先行技術文献】
【特許文献】
【０００３】
【特許文献１】特開平０８−１５０３４４号公報
【考案の概要】
【考案が解決しようとする課題】
【０００４】
しかし、従来のバケット式ジョークラッシャは、図６に示すように、石を粉砕する刃板１６の刃形状が三角形状の山形であって、石等を割りにくいものであるという課題がある。更に、一対の刃板１６は、基部１６ａと刃部１６ｂとが一体であり、磨耗した場合には片側の刃板１６の全体を交換しなければならず、手間が掛かるとともにコストも嵩むという課題がある。本考案に係るバケット式ジョークラッシャは、このような課題を解決するために提案されたものである。
【課題を解決するための手段】
【０００５】
本考案に係るバケット式ジョークラッシャの上記課題を解決して目的を達成するための要旨は、移動自在な作業機のアーム先端に着脱自在に設けられるバケットに備えるジョークラッシャであって、前記ジョークラッシャの粉砕用刃の形状が、矩形状の凹凸を対向配置したものになっていることである。
【０００６】
前記ジョークラッシャの粉砕用刃は、複数個の矩形状の刃が基板にボルトを介して着脱自在にして取り付けられ、当該矩形状の刃が単独で交換可能である。また、ジョークラッシャの一対で対向した刃の間隔は、ギャップ調節手段によって可変されることであり、更に、前記ギャップ調節手段には、排油溝付のグリースニップルが設けられ、刃の間隔が無段階で調節されることを含むものである。
【考案の効果】
【０００７】
本考案のバケット式ジョークラッシャによれば、石等を粉砕する刃の形状を、対向する矩形状の凹凸にしたので、前記石等の粉砕が容易となるものである。前記粉砕用刃は、複数個の矩形状の刃が基板に着脱自在に取り付けられていて交換可能な構成になっている。よって、従来のジョークラッシャでは直線状の刃全体を交換する必要があったが、本考案では個々の刃を単独で交換できて、刃交換の工期が短縮されるとともに交換作業が容易になり、刃交換コストも低減される。
【０００８】
更に、前記刃の間隔を可変できることで、粉砕する石等の大きさに対応することができる。更に、刃の間隔を無段階で調節すれば、石等の大きさや種類に細かく対応することが可能となる。
【図面の簡単な説明】
【０００９】
【図１】本考案に係るバケット式ジョークラッシャ１の正面図である。
【図２】同本考案のバケット式ジョークラッシャ１を作業機のアーム先端のバケット１３に取り付けて使用する状態の一部正面図である。
【図３】同粉砕用刃３の間隔ａを狭めて、石等を細かく粉砕する場合の一部正面図である。
【図４】同バケット式ジョークラッシャ１におけるニップル１４の断面図である。
【図５】同バケット式ジョークラッシャ１におけるフライホイール１１の正面図（Ａ）と側面図（Ｂ）とである。
【図６】従来例に係る刃板１６の正面図である。
【考案を実施するための形態】
【００１０】
本考案に係るバケット式ジョークラッシャは、石等を砕く刃の形状を凹凸にしたものである。
【実施例１】
【００１１】
本発明に係るジョークラッシャ１は、図１に示すように、移動自在な作業機（掘削機、破砕機など）のアーム先端に着脱自在に設けられるバケット２に備えるジョークラッシャ１であって、前記ジョークラッシャ１の粉砕用刃３の形状が、矩形状の凹凸を対向配置したものになっていることである。
【００１２】
前記粉砕用刃３は、図１に示すように、対向する一対の基板３ａに、それぞれ矩形状の刃である矩形刃３ｂがボルト３ｃによって固定され、この矩形刃３ｂの千鳥配置により、凹凸が対向している。粉砕用刃３の矩形刃３ｂは、基板３ａにボルト３ｃを介して着脱自在にして取り付けられている。よって、当該矩形刃３ｂが単独で交換可能であって、矩形刃３ｂが磨耗した場合には、個々に交換修理が可能である。
【００１３】
また、前記ジョークラッシャ１の一対で対向して千鳥配置の刃３ｂの間隔ａは、図２乃至図３に示すように、ギャップ調節手段４によって可変される。
【００１４】
前記ギャップ調節手段４は、固定バネ５と、調整ボルト６、ギャップ調整シリンダー７、リンク機構８、などによって構成されている。
【００１５】
前記ギャップ調整シリンダー７と、前記リンク機構８のレバー８ａとは、揺動板９の一端部側に回動中心軸７ｂ，８ｄを有して設けられている。当該揺動板９は、先端部をアーム１０の揺動によって揺動する。石等を粉砕するときに、揺動板９を反時計方向に揺動させ、粉砕するように位置させ、粉砕作用を停止させるときには時計方向に回動させて引き離すものである。
【００１６】
前記揺動板９の中心部には、フライホイール１１が回転自在に設けられている。また、このフライホイール１１の回転により、回転される偏心軸によって細かく振動する粉砕振動刃板１２がある。この粉砕振動刃板１２を支持する一端側の軸部１２ａは、前記調整ボルト６の先端部と連結されている。
【００１７】
前記粉砕振動刃板１２の下端縁部に前記粉砕用刃３の片方が固定されている。また、バケット１３の底部１３ａに、他方の粉砕用刃３が上に向けて固定されている。
【００１８】
前記ギャップ調節手段４において、図４に示すように、前記ギャップ調整シリンダー７に、ニップル１４が設けられている。排油溝付のグリースニップル１４であり、ネジ部を有した締付部にグリース注入口が設けられ、逆止弁及び押さえバネが設けられてなり、粉砕用刃３の間隔ａが無段階で調節されるようになっている。
【００１９】
前記ニップル１４からグリースが注入されると、図３に示すように、ギャップ調整シリンダー７のロッド７ａが、前記ニップル１４へのグリース注入によって、伸張するとレバー８ａが回動中心軸８ｄを中心にして回転し、端部８ｂとトックルプレート８ｃを介して粉砕振動刃板１２の図中右側部を下側に押し出す。
【００２０】
前記粉砕振動刃板１２の図中右側部が、調整ボルト６の固定バネの付勢力に抗して、押し下げられて間隔ａが図３に示すように、狭くなる。これによって、粉砕後の石等の大きさを小さく設定して粉砕することができる。なお、前記ニップル１４において、排油口からグリースを排出させることで、ギャップ調整シリンダー７のロッド７ａが後退して、固定バネ５の付勢力によって図３に示す状態から図２に示す状態へと上方向に上がり、間隔ａが広がるものである。
【００２１】
前記フライホイール１１は、図５に示すように、大きな円盤になっており、慣性力を大きくしている。このフライホイール１１が回転していることで、回転軸１５に設けられる偏心軸（図示せず）が回転して、それによって偏心軸に一端が係合する前記粉砕振動刃板１２が軸部１２ａを中心にして上下方向に揺動する。それによって、一対の粉砕用刃３によって挟まれる石等が粉砕されるものである。
【００２２】
以上のようにして構成されるジョークラッシャ１が、作業機などのアーム先端にバケット１３とともに取り付けられていることで、作業現場で自由に移動しながら、矩形状の凹凸の粉砕用刃３で石等を強力に粉砕するものである。
【産業上の利用可能性】
【００２３】
本考案に係るバケット式ジョークラッシャ１は、石等に限らず硬い固形物にも適用できるものである。
【符号の説明】
【００２４】
１          バケット式ジョークラッシャ、
２          バケット、
３          粉砕用刃、                      ３ａ      基板、
３ｂ        刃、                            ３ｃ      ボルト、
４          ギャップ調整手段、
５          固定バネ、
６          調整ボルト、
７          ギャップ調整シリンダー、        ７ａ      ロッド、
７ｂ        回動中心軸、    
８          リンク機構、                    ８ａ      レバー、
８ｂ        端部、                          ８ｃ      トックルプレート、
８ｄ        回動中心軸、
９          揺動板、                        
１０        アーム、
１１        フライホイール、
１２        粉砕振動刃板、                  １２ａ      軸部、
１３        バケット、
１４        ニップル、
１５        回転軸、
１６        刃板、                          １６ａ      基部、
１６ｂ      刃部。
【図１】
0003173125.tif 000003
【図２】
0003173125.tif 000004
【図３】
0003173125.tif 000005
【図４】
0003173125.tif 000006
【図５】
0003173125.tif 000007
【図６】
0003173125.tif 000008